(57)【特許請求の範囲】
【請求項１】
音声入力処理回路と、音声出力処理回路と、映像入力処理回路と、映像出力処理回路とを備え、記憶媒体へ記憶する記憶処理を予約に基づき行うことが可能にしてある記憶装置において、
予約に基づき記憶処理を行う場合、前記音声出力処理回路又は前記映像出力処理回路の少なくとも一方の処理停止を行う処理停止手段と、
処理停止のときの音声出力の選択の受付が可能な出力選択受付手段と
を備え、
前記出力選択受付手段が音声出力の選択を受け付けた場合、前記処理停止手段は、前記映像出力処理回路の処理停止を行う一方、前記音声出力処理回路の処理停止を行わないことを特徴とする記憶装置。
【請求項２】
前記出力選択受付手段は、処理停止のときの映像出力の選択の受付が可能にしてあり、
前記出力選択受付手段が映像出力の選択を受け付けた場合、前記処理停止手段は、前記音声出力処理回路の処理停止を行う一方、前記映像出力処理回路の処理停止を行わないようにしてある請求項１に記載の記憶装置。
【請求項３】
前記出力選択受付手段は更に、処理停止のときの出力なしの選択の受付が可能にしてあり、
前記出力選択受付手段が出力なしの選択を受け付けた場合、前記処理停止手段は、前記音声出力処理回路及び前記映像出力処理回路の両方の処理停止を行う請求項１又は請求項２に記載の記憶装置。
【請求項４】
前記記憶処理は、一の記憶媒体に記憶された内容を他の記憶媒体へ記憶するダビング処理を含み、
予約に基づきダビング処理を行う場合、前記処理停止手段は更に、前記音声入力処理回路及び前記映像入力処理回路の処理停止を行うようにしてある請求項１乃至請求項３のいずれか１つに記載の記憶装置。
【請求項５】
前記処理停止手段が処理停止を行うか否かの選択を受け付ける受付手段を備え、
前記受付手段が処理停止を行う選択を受け付けた場合、前記処理停止手段が処理停止を行うようにしてある請求項１乃至請求項４のいずれか１つに記載の記憶装置。
【請求項６】
表示灯の点灯制御処理を行う点灯制御処理部、及び表示パネルでの表示に係る表示制御処理を行う表示制御処理部を有しており、
記憶媒体への記憶に係る処理を行う場合、前記処理停止手段は、前記点灯制御処理部又は前記表示制御処理部の少なくとも一方の処理停止を行うようにしてある請求項１乃至請求項５のいずれか１つに記載の記憶装置。
【発明の詳細な説明】
【技術分野】
【０００１】
本発明は、予約に基づく録画処理、予約に基づくダビング処理等を行う際に省電力化を実現した記憶装置に関する。
【背景技術】
【０００２】
従来、番組の予約録画を行う録画装置（本発明の記憶装置に相当）が存在する。このような録画装置の中には、複数の記憶媒体を装着可能な構成にして、一の記憶媒体から他の記憶媒体へ記憶内容をダビング可能にした機種も登場している。
【０００３】
また、ダビング可能な録画装置には、記憶に係るビットレート（画質）を変更してダビングを行う場合と、画質を落とさずに高速でダビングを行う場合とを選択可能にしたものや、指定時刻にダビング処理を開始する予約ダビング機能を具備したものがある。なお、近時は、ダビング対象を多量に蓄えられるように大記憶容量を確保したハードディスク装置を内蔵すると共に、ダビング先の記憶媒体としてＤＶＤ（Digital Versatile Disk）、又はＢＤ（ブルーレイディスク）のような光ディスクを受け入れ可能な光ディスクドライブ装置を具備した装置構成が一般的になっている。
【０００４】
一方、各種電気機器は消費電力の削減に対して様々な工夫を凝らしており、録画装置においても省電力化に対して様々な機能が採用されている。例えば、特許文献１では、装置が処理待ちの状態（スタンバイ状態）であるとき、消費電力の削減を行う録画装置が開示されている。
【特許文献１】特開平８−８３４５０号公報
【発明の開示】
【発明が解決しようとする課題】
【０００５】
予約された内容に基づき録画装置が録画を行う場合、一般にユーザが不在であるときや、ユーザがいても録画装置に接続されたテレビジョン装置の電源がオフになっているときが殆どである。しかし、録画装置は予約録画を行う場合でも、テレビジョン装置の電源がオンになれば映像及び音声を出力できるように、装置内部の映像及び音声の出力に係る処理回路を駆動している。そのため、実際に映像及び音声がユーザへ届かないのに装置内部の処理回路が作動して処理を行うので、無用に電力を消費していると云う問題がある。また、このような問題は、予約ダビングにおいても同様に発生する。なお、特許文献１に係る録画装置は、スタンバイ状態における消費電力の削減を行うものなので、録画時及びダビング時に関する上記問題を解決できない。
【０００６】
さらに、通常のダビング処理を行う場合でも、ダビング処理中はダビング内容をユーザが見ないときもある。このようなときも、装置内部の映像及び音声の出力に係る処理回路を作動させていると、無駄に電力を消費することになる。さらにまた、高速ダビング（ビットレートを変更しない記憶処理）を行うときは、処理の特性上、ダビング処理中にダビング内容を確認できないので、この場合も映像及び音声の出力に係る処理回路を作動させると、無駄に電力を消費することになる。
【０００７】
本発明は、斯かる問題に鑑みてなされたものであり、装置内部の各処理回路を省電力化の観点から詳細に見直すことで、予約録画時、ダビング時（予約ダビングも含む）に省電力化を達成できるようにした記憶装置を提供することを目的とする。
【課題を解決するための手段】
【０００８】
上記課題を解決するために本発明に係る記憶装置は、音声入力処理回路と、音声出力処理回路と、映像入力処理回路と、映像出力処理回路とを備え、記憶媒体へ記憶する記憶処理を行う記憶装置において、予約に基づき記憶処理を行う場合、前記音声出力処理回路又は前記映像出力処理回路の少なくとも一方の処理停止を行う処理停止手段と、処理停止のときの音声出力の選択の受付が可能な出力選択受付手段とを備え、前記出力選択受付手段が音声出力の選択を受け付けた場合、前記処理停止手段は、前記映像出力処理回路の処理停止を行う一方、前記音声出力処理回路の処理停止を行わないことを特徴とする。
【０００９】
本発明にあっては、予約記憶（予約録画又は予約ダビング）の処理を行う場合、処理停止手段が音声出力処理回路又は映像出力処理回路の少なくとも一方の処理停止を行うので、予約録画時又は予約ダビング時において出力系の処理回路で電力が消費されることが無くなり、従来の装置に比べて省電力化を達成できる。また、予約録画時又は予約ダビング時にユーザがＢＧＭ（バックグラウンド・ミュージック）的に記憶対象に含まれる音声を聞くことを望む場合は、映像出力処理回路の処理停止を行うことが好適である。
【００１０】
また、本発明に係る記憶装置は、音声入力処理回路と、音声出力処理回路と、映像入力処理回路と、映像出力処理回路とを備え、記憶媒体へ記憶する記憶処理を行う記憶装置において、予約に基づき記憶処理を行う場合、前記音声出力処理回路又は前記映像出力処理回路の少なくとも一方の処理停止を行う処理停止手段と、処理停止のときの映像出力の選択の受付が可能な出力選択受付手段とを備え、前記出力選択受付手段が映像出力の選択を受け付けた場合、前記処理停止手段は、前記音声出力処理回路の処理停止を行う一方、前記映像出力処理回路の処理停止を行わないことを特徴とする。
【００１１】
本発明にあっては、予約記憶（予約録画又は予約ダビング）の処理を行う場合、処理停止手段が音声出力処理回路又は映像出力処理回路の少なくとも一方の処理停止を行うので、予約録画時又は予約ダビング時において出力系の処理回路で電力が消費されることが無くなり、従来の装置に比べて省電力化を達成できる。また、予約録画時又は予約ダビング時にユーザがＢＧＶ（バックグラウンド・ビデオ）的に記憶対象に含まれる映像を楽しむことを望む場合は、音声出力処理回路の処理停止を行うことが好適である。
【００１２】
さらに、本発明に係る記憶装置は、前記出力選択受付手段は更に、処理停止のときの出力なしの選択の受付が可能にしてあり、前記出力選択受付手段が出力なしの選択を受け付けた場合、前記処理停止手段は、前記音声出力処理回路及び前記映像出力処理回路の両方の処理停止を行うことを特徴とする。
【００１３】
本発明にあっては、予約記憶（予約録画又は予約ダビング）の処理を行う場合、処理停止手段が音声出力処理回路又は映像出力処理回路の少なくとも一方の処理停止を行うので、予約録画時又は予約ダビング時において出力系の処理回路で電力が消費されることが無くなり、従来の装置に比べて省電力化を達成できる。なお、省電力を最大にするためには、音声出力処理回路及び映像出力処理回路の両方に対して処理停止を行うことが好ましい。
【００１４】
さらにまた、本発明に係る記憶装置は、前記記憶処理は、一の記憶媒体に記憶された内容を他の記憶媒体へ記憶するダビング処理を含み、予約に基づきダビング処理を行う場合、前記処理停止手段は更に、前記音声入力処理回路及び前記映像入力処理回路の処理停止を行うようにしてあることを特徴とする。
本発明にあっては、予約ダビングを行う場合、処理停止手段が音声入力処理回路及び映像入力処理回路の両方の処理停止を行うので、更に省電力化を進めることができる。即ち、予約ダビングを行う場合は、ダビング対象は一の記憶媒体に存在するため、音声入力処理回路及び映像入力処理回路は使用されない状態であることより、両回路の処理を停止してもダビング処理に支障なく電力消費を一段と削減できる。
【００１５】
本発明に係る記憶装置は、前記処理停止手段が処理停止を行うか否かの選択を受け付ける受付手段を備え、前記受付手段が処理停止を行う選択を受け付けた場合、前記処理停止手段が処理停止を行うようにしてあることを特徴とする。
本発明にあっては、上述した消費電力削減に係る処理を行うか否かを受付手段でユーザが選択できるようにするので、ユーザの個々の使用状況に応じて消費電力削減に係る処理のオン・オフを切り替えることが可能となり、ユーザの使用状況にマッチした使用環境を提供できる。
【００１６】
また、本発明に係る記憶装置は、表示灯の点灯制御処理を行う点灯制御処理部、及び表示パネルでの表示に係る表示制御処理を行う表示制御処理部を有しており、記憶媒体への記憶に係る処理を行う場合、前記処理停止手段は、前記点灯制御処理部又は前記表示制御処理部の少なくとも一方の処理停止を行うようにしてあることを特徴とする。
本発明にあっては、記憶に係る処理を行う場合、点灯制御処理部又は表示制御処理部の少なくとも一方の処理停止を行うので、装置内の表示・点灯に係る箇所まで消費電力を抑えることができ、装置全体での消費電力を最小のレベルにまで落とすことが可能になる。
【発明の効果】
【００１７】
本発明にあっては、予約録画又は予約ダビングの処理を行う場合、処理停止手段が音声出力処理回路又は映像出力処理回路の少なくとも一方の処理停止を行うので、予約録画時又は予約ダビング時における消費電力を従来の装置に比べて削減できる。
【００１８】
また、本発明にあっては、予約ダビングの処理を行う場合、さらに音声入力処理回路及び映像入力処理回路の両方の処理停止を行うので、一段と省電力化を図れる。
【００１９】
さらに、本発明にあっては、消費電力削減に係る処理を行うか否かをユーザが選択できるようにするので、ユーザの個々の使用状況に応じて消費電力削減に係る処理を行える。
さらにまた、本発明にあっては、記憶に係る処理を行う場合、点灯制御処理部又は表示制御処理部の少なくとも一方の処理停止を行うので、装置全体での消費電力を最小のレベルにまで減少できる。
【発明を実施するための最良の形態】
【００２０】
図１は、本発明の実施形態に係る録画装置１（記憶装置に相当）の主要な内部構成を示すブロック図である。録画装置１は、予約録画及び予約ダビングが可能な装置であり、予約録画時、予約ダビング時における電力消費量を従来の装置に比べて低減したことが特徴である。録画装置１は、大記憶容量を確保したハードディスク装置１７、及び光ディスク（例えば、ＤＶＤ）を受け入れる光ディスクドライブ部１６を有し、ハードディスク装置１７又は光ディスクに各種映像を記憶可能にすると共に、記憶した内容を再生して録画装置１に接続される外部の表示装置（例えば、テレビジョン装置）の画面に表示できるようにしている。
【００２１】
録画装置１の内部は、入力系の処理部分（入力処理部分と称す）と、出力系の処理部分（出力処理部分と称す）と、記憶系の処理部分と、表示系の処理部分と、制御系部分とに大別される。入力処理部分には図１中の音声入力処理部２、映像入力処理部３、及び符号化処理部４が含まれる。また、出力処理部分には復号化処理部５、音声出力処理部６、映像出力処理部７、接続部８、及びＯＳＤ生成部９が含まれる。さらに、記憶系の処理部分にはドライブインタフェース１５、光ディスクドライブ装置１６、及びハードディスク装置１７が含まれる。さらにまた、表示系の処理部分には表示制御処理部１１、表示用ライト１３を具備した表示パネル１２、複数のＬＥＤ表示灯Ｌ１、Ｌ２・・・Ｌｎを接続した点灯制御処理部１４が含まれる。最後に制御系部分にはシステムコントロール部１０、操作部１８、及びリモコン装置２０のリモコン受光部１９が含まれる。以下、上述した各部分を順番に説明する。
【００２２】
先ず、入力処理部分に含まれる音声入力処理部２には、図１で示していない録画装置１に設けられたチューナ又は外部入力端子で取得したソース信号（音声を含む映像）に含まれる音声信号（アナログ）が入力されるようになっており、音声入力処理部２は、入力されたアナログの音声信号をデジタル信号に変換して符号化処理部４へ送る処理を行う。また、映像入力処理部３には、録画装置１のチューナ部又は外部入力端子で取得したソース信号に含まれるアナログの映像信号が入力され、映像入力処理部３は、入力されたアナログの映像信号をデジタル信号に変換して符号化処理部４へ送る処理を行う。
【００２３】
符号化処理部４は内部に、音声符号化処理部４ａ及び映像符号化処理部４ｂを備える。音声符号化処理部４ａは、音声入力処理部２から送られたデジタルの音声信号に対してシステムコントロール部１０の制御に基づき所定の圧縮率で圧縮化（符号化）する処理を行う。映像符号化処理部４ｂは、映像入力処理部３から送られたデジタルの映像信号に対してシステムコントロール部１０の制御に基づき所定の圧縮率で圧縮化する処理を行う。また、符号化処理部４は、圧縮化した信号の送り先をシステムコントロール部１０の制御指示に従って決定しており、信号の再生を行うときは出力処理部分に含まれる復号化処理部５へ送り、信号の記憶を行うとき（例えば、予約録画）は、記憶系の処理部に含まれるドライブインタフェース１５へ送る。
【００２４】
なお、上述した入力処理部分では、音声入力処理部２及び符号化処理部４の音声符号化処理部４ａが音声入力処理回路として機能し、映像入力処理部３及び符号化処理部４の映像符号化処理部４ｂが映像入力処理回路として機能する。
【００２５】
次に、出力処理部分を説明する。出力処理部分に含まれる復号化処理部５は内部に、音声復号化処理部５ａ及び映像復号化処理部５ｂを備える。音声復号化処理部５ａは、圧縮化された音声信号をシステムコントロール部１０の制御に基づき復号化する処理を行う。なお、音声復号化処理部５ａは復号化した音声信号を、外部への出力時は音声出力処理部６へ送り、ビットレート変更を伴うダビング時は符号化処理部４へ送る。映像復号化処理部５ｂは、圧縮化された映像信号をシステムコントロール部１０の制御に基づき復号化する処理を行い、復号化した映像信号を外部への出力時は映像出力処理部７へ送り、ビットレート変更を伴うダビング時は符号化処理部４へ送る。なお、復号化処理部５が受け取る処理対象の信号の送り元は、外部への出力時では復号化処理部４が該当し、ビットレート変更を伴うダビング時及び再生時ではドライブインタフェース１５が該当する。
【００２６】
また、音声出力処理部６は、音声復号化処理部５ａから送られる音声信号（デジタル）をアナログに変換する処理、及び増幅処理等を行っており、処理の済んだ信号を接続部８へ送る処理を行う。映像出力処理部７は、映像復号化処理部５ｂから送られる映像信号（デジタル）をアナログに変換する処理、及び増幅処理等を行っており、処理の済んだ信号を接続部８へ送る処理を行う。さらに、接続部８は、外部の表示装置（テレビジョン装置）が接続される端子であり、各出力処理部６、７からの信号を接続先の表示装置へ出力する。
【００２７】
さらにまた、ＯＳＤ（On Screen Display）生成部９は、図２（ａ）（ｂ）等に示す画面３０、３１等を外部の表示装置の画面に表示するために、システムコントロール部１０の制御に従って表示用の画面データを生成して復号化処理部５へ送るものである。ＯＳＤ生成部９から送られた画面データは、復号化処理部５、映像出力処理部７、及び接続部８を通じて外部の表示装置へ出力される。
【００２８】
なお、上述した出力処理部分では、復号化処理部５の音声復号化処理部５ａ及び音声出力処理部６が音声出力処理回路として機能し、復号化処理部５の映像復号化処理部５ｂ、映像出力処理部７、及びＯＳＤ生成部９が映像出力処理回路として機能する。
【００２９】
また次に、記憶系の処理部分を説明する。ドライブインタフェース１５は、符号化処理部４及び復号化処理部５と接続されており、取得した映像の記憶時（例えば、予約録画）には、符号化処理部４から記憶対象を受け取って、記録先となる光ディスクドライブ装置１６又はハードディスク装置１７のいずれかへ送る処理をシステムコントロール部１０の制御に従って行う。また、記録した内容の再生時には、システムコントロール部１０の制御に従ってドライブインタフェース１５は光ディスクドライブ装置１６又はハードディスク装置１７から読み出された内容をドライブインタフェース１５が受け取り、復号化処理部５へ送る処理を行う。さらに、ビットレート変更を伴わないダビング時には（予約ダビングも含む）、ダビング元（光ディスクドライブ装置１６又はハードディスク装置１７）から読み出された内容を、ダビング先（ハードディスク装置１７又は光ディスクドライブ装置１６）へ送る処理もドライブインタフェース１５は行う。
【００３０】
なお、光ディスクドライブ装置１６は記憶処理手段として、受け入れた光ディスク（記憶媒体）へ書き込み（記憶）処理、読み出し処理を行うものであり、ハードディスク装置１７は記憶処理手段として、内蔵する磁気ディスク（記憶媒体）へ書き込み（記憶）処理、読み出し処理を行うものである。
【００３１】
さらに次に、表示系の処理部分について説明する。表示系の処理部分に含まれる表示制御処理部１１は、録画装置１の図示しない筐体の外面に設けられた液晶製の表示パネル１２に各種情報（受信している放送種類、受信チャンネル等）をシステムコントロール部１０の制御に基づき表示する処理を行うと共に、表示パネル１２を照らす表示用ライト１３（バックライト又はフロントライト）の点灯制御を行う。また、点灯制御処理部１４は、録画装置１の図示しない筐体表面に設けられる複数のＬＥＤ表示灯Ｌ１、Ｌ２・・・Ｌｎの点灯制御を行うものである。各ＬＥＤ表示灯Ｌ１、Ｌ２・・・Ｌｎは、点灯に対して、それぞれ内容が割り当てられており、例えばＬＥＤ表示灯Ｌ１は待機時に点灯し、ＬＥＤ表示灯Ｌ２は録画中に点灯する。
【００３２】
最後に、制御系部分について説明する。操作部１８は、録画装置１の図示しない筐体の外面に設けられた複数のスイッチにより構成されており、各スイッチでユーザの操作を受け付けて、ユーザからの操作内容をシステムコントロール部１０へ伝える。また、リモコン受光部１９は、上下左右キー、決定キー、その他のキー等を有するリモコン装置２０がユーザから受け付けた操作内容を含む赤外光を受光して、ユーザからの操作内容をシステムコントロール部１０へ伝える。
【００３３】
システムコントロール部１０は、操作部１８又はリモコン装置２０で受け付けたユーザの操作内容に基づき上述した各部２、３等の制御を行うものである。特に本実施形態では、予約録画を行うとき、予約ダビングを行うときに、省エネルギーモードの設定を行えるようにしており、省エネルギーモードが設定された場合は、録画装置１内の処理に必要な部分だけを作動させる一方、他の部分に対しては作動を停止させて電力消費量を削減する制御処理を行う。以下、システムコントロール部１０が処理停止手段として行う予約録画に対する電力消費削減に係る制御処理内容、及び予約ダビングに対する電力消費削減に係る制御処理内容を説明する。
【００３４】
図２（ａ）に示す省エネルギーモード設定画面３０は、予約録画の設定を行う中でシステムコントロール部１０に制御により外部の表示装置で表示されるメニューである。この省エネルギーモード設定画面３０は、ＯＳＤ生成部９が生成した画面データに基づいており、操作部１８又はリモコン装置２０での操作により選択可能なオンボタン３０ａ、オフボタン３０ｂを設けている。
【００３５】
図２（ｂ）に示す内容選択画面３１は、図２（ａ）の省エネルギーモード設定画面３０でオンボタン３０ａの選択を受け付けた場合に外部の表示装置で表示されるメニューである。内容選択画面３１もＯＳＤ生成部９が生成した画面データに基づいており、操作部１８又はリモコン装置２０での操作により選択可能な第１ボタン３１ａ、第２ボタン３２ｂ、及び第３ボタン３１ｃを設けている。これらの各ボタン３１ａ〜３１ｃは、作動を停止する部分が対応付けてあり、選択操作が行われたボタン３１ａ〜３１ｃに応じてシステムコントロール部１０は作動を停止する部分を決定する。
【００３６】
具体的には、第１ボタン３１ａは、省エネルギーモード（処理停止を行うモード）を設定しても音声のみ出力することをユーザが希望する場合に選択されるボタンである。この第１ボタン３１ａが選択されるとシステムコントロール部１０は、図１の映像出力処理回路（映像復号化処理部５ｂ、映像出力処理部７、及びＯＳＤ生成部９）、表示制御処理部１１、及び点灯制御処理部１４へ処理停止信号を出力し（図１中、波線矢印で示す。以下、同様）、予約に基づく録画処理が開始されても映像出力処理回路、表示制御処理部１１、及び点灯制御処理部１４の作動を停止する。なお、第１ボタン３１aが選択されると、予約録画中の音声のみが出力されるので、ユーザは、電力消費量をある程度削減した上で、ＢＧＭ的に音声を楽しむことができる。
【００３７】
第２ボタン３１ｂは、省エネルギーモードを設定しても映像のみ出力することをユーザが希望する場合に選択されるボタンである。この第２ボタン３１ｂが選択されるとシステムコントロール部１０は、図１の音声出力処理回路（音声復号化処理部５ａ、及び音声出力処理部６）、表示制御処理部１１、及び点灯制御処理部１４へ作動停止信号を出力し、予約に基づく録画処理が開始されても音声出力処理回路、表示制御処理部１１、及び点灯制御処理部１４の作動を停止する。なお、第２ボタン３１ｂが選択されると、予約録画中の映像のみが出力されるので、ユーザは、電力消費量をある程度削減した上で、出力される映像をＢＧＶ的に楽しむことができる。
【００３８】
第３ボタン３１ｃは、省エネルギーモードを設定したときに音声及び映像の両方を出力しないことをユーザが希望する場合に選択されるボタンである。この第３ボタン３１ｃが選択されるとシステムコントロール部１０は、図１の音声出力処理回路、映像出力処理回路、表示制御処理部１１、及び点灯制御処理部１４へ作動停止信号を出力し、予約に基づく録画処理が開始されても音声出力処理回路、映像出力処理回路、表示制御処理部１１、及び点灯制御処理部１４の作動を停止する。そのため、この第３ボタン３１ｃが選択されたときが、作動を停止する対象が多いため、最も電力消費量を削減できる。なお、本発明における電力消費削減の処理は、タイマーに基づくもの、電子番組表に基づくもの、Ｇコードシステムに基づくものなど、あらゆる種類に予約録画に適用可能になっている。
【００３９】
図３に示すフローチャートは、上述した予約録画に対する電力消費削減に係る録画装置１の処理手順を整理したものである。即ち、録画装置１のシステムコントロール部１０は、予約録画の設定段階で図２（ａ）の省エネルギーモード設定画面３０を表示して、省エネルギーモードが設定されたか否かを判断する（Ｓ１）。省エネルギーモードが設定されない場合（Ｓ１：ＮＯ）、予約された内容に従って録画処理が行われる（Ｓ６）が、このときは、音声出力処理回路、映像出力処理回路、表示制御処理部１１、点灯制御処理部１４が作動するため、消費電力は従来の録画装置と同等になる。
【００４０】
一方、省エネルギーモードが設定された場合（Ｓ１：ＹＥＳ）、次に図２（ｂ）に示す内容選択画面３１が表示され、録画装置１はいずれの内容が選択されるかを判断する（Ｓ２）。音声のみ出力の第１ボタン３１ａが選択されたとき（Ｓ２：音声）、上述したように映像出力処理回路、表示制御処理部１１、及び点灯制御処理部１４の処理停止が決定される。また、映像のみの出力の第２ボタン３１ｂが選択されたとき（Ｓ２：映像）、上述したように音声出力処理回路、表示制御処理部１１、及び点灯制御処理部１４の処理停止が決定される。さらに、出力なしの第３ボタン３１ｃが選択されたとき（Ｓ２：出力なし）、上述したように音声出力処理回路、映像出力処理回路、表示制御処理部１１、及び点灯制御処理部１４の処理停止が決定される。その後は、設定された予約内容に基づいて録画処理が行われるが（Ｓ６）、録画処理中、Ｓ３〜Ｓ５のいずれの段階で処理停止が決定された範囲は作動せず、処理が停止された状態になるので、録画処理中の消費電力は従来の録画装置より削減できる。
【００４１】
また、図４（ａ）に示す省エネルギーモード設定画面３２は、ダビング元及びダビング先の設定、予約ダビングを開始する時刻の設定などを行う予約ダビングの準備段階で表示されるものであり、内容的には図２（ａ）の予約録画の設定に対する省エネルギーモード設定画面３２と同様にオンボタン３２ａ、オフボタン３２ｂを有する。図４（ｂ）に示す内容選択画面３３も、図２（ｂ）の予約録画に係る内容選択画面３１と同様であり第１ボタン３３ａ〜第３ボタン３３ｃを有する。但し、予約ダビングにおいては、録画対象は、光ディスク又はハードディスク装置に記憶されているので、システムコントロール部１０が処理停止を決定する範囲に入力処理部分が含まれることが相異する。
【００４２】
よって、第１ボタン３３ａが選択された時は、音声入力処理回路（音声入力処理部２及び音声符号化処理部４ａ）、映像入力処理回路（映像入力処理部３及び映像符号化処理部４ｂ）、映像出力処理回路、表示制御処理部１１、及び点灯制御処理部１４の作動停止が決定される。また、第２ボタン３３ｂが選択された時は、音声入力処理回路、映像入力処理回路、音声出力処理回路、表示制御処理部１１、及び点灯制御処理部１４の作動停止が決定される。さらに、第３ボタン３３ｃが選択された時は、音声処理部に相当する音声入力処理回路及び音声出力処理回路と、映像処理部に相当する映像入力処理回路及び映像出力処理回路と、表示制御処理部１１と、点灯制御処理部１４との作動停止が決定される。このように予約ダビングにおいても、従来の録画装置に比べて大幅な消費電力の削減が可能になる。
【００４３】
なお、本発明は、上述した実施形態に係る録画装置１に限定されるものではなく、種々の変形例の適用が可能である。例えば、省エネルギーモードの設定はユーザの操作負担を低減するため、予約録画及びダビング（予約ダビングを含む）の両方に連動させて、録画装置１で省エネルギーモードの設定を一旦オンにすれば、予約録画及びダビング（予約ダビングを含む）の両方に対して有効になるようにしてもよい。また、図１の録画装置１が３以上の記憶媒体を扱える構成である場合は、各記憶媒体間で予約ダビングを行うときに上述した電力消費量の削減に係る処理を行える。さらに、図１の録画装置１がダビング処理時にビットレート（記憶に係る単位量）を変更できるときは、ビットレートを変更するダビング（録画モード変換ダビングと称す）と、ビットレートを変更しないダビング（高速ダビング）とをユーザが設定できるようにしてもよく、この場合は設定内容に応じて作動停止範囲が上述した実施形態と相異する。
【００４４】
図５のダビング種類選択画面３４は、ビットレートを変更してダビング処理を行える録画装置１が、ダビング設定時に表示する画面であり、図１に示すＯＳＤ生成部９により生成された画面データに基づき外部の表示装置で表示される。ダビング種類選択画面３４は、高速ダビングを選択するための第１ボタン３４ａと、録画モード変換ダビングを選択するための第２ボタン３４ｂを設けている。なお、高速ダビングはビットレートを変更しないでダビングを行う処理であり、録画モード変換ダビングはビットレートを変更してダビングを行う処理である。
【００４５】
図５のダビング種類選択画面３４で第１ボタン３４ａ（高速ダビング）が選択された後は、録画装置１は図４（ａ）の省エネルギーモード設定画面３２が外部の表示装置で表示されるように処理を行い、その後は上述した内容と同様に処理を進行させる。
【００４６】
一方、図５のダビング種類選択画面３４で第２ボタン３４ｂ（録画モード変換ダビング）が選択されたとき、録画装置１は図示しない録画モード選択画面を表示させる処理を行い、録画モード選択画面でダビングにより記憶する際のビットレートを高画質（ＸＰ）、標準（ＳＰ）、長時間（ＬＰ）、できるだけ長時間（ＥＰ）に応じた中から選択を受け付けてから、図４（ａ）の省エネルギーモード設定画面３２を表示する処理を行う。
【００４７】
図４（ａ）の省エネルギーモード設定画面３２で第１ボタン３２ａが選択された場合、録画装置１は図４（ｂ）の内容選択画面３３を表示する処理を行うが、ビットレートを変更してダビングを行うときは、上述した高速ダビングの場合と作動停止をさせる範囲が相異する。即ち、ビットレートを変更する場合は、ダビング処理時でも符号化処理部４及び復号化処理部５を作動させる必要があるので、図４（ｂ）の内容選択画面３３で各ボタン３３ａ〜３３ｃが選択されたときの作動停止範囲は以下のようになる。
【００４８】
内容選択画面３３の第１ボタン３３ａ（音声のみ出力）が選択された場合、録画装置１のシステムコントロール部１０は、音声入力処理部２、映像入力処理部３、映像出力処理部７、ＯＳＤ生成部９、表示制御処理部１１、及び点灯制御処理部１４の作動をダビング処理の際に停止する制御を行う。また、第２ボタン３３ｂ（映像のみ出力）が選択された場合、システムコントロール部１０は、音声入力処理部２、映像入力処理部３、音声出力処理部６、ＯＳＤ生成部９、表示制御処理部１１、及び点灯制御処理部１４の作動をダビング処理の際に停止する制御を行う。さらに、第３ボタン３３ｃ（出力なし）が選択された場合、システムコントロール部１０は、音声入力処理部２、映像入力処理部３、音声出力処理部６、映像出力処理部７、ＯＳＤ生成部９、表示制御処理部１１、及び点灯制御処理部１４の作動をダビング処理の際に停止する制御を行う。このような作動停止の制御を行うことで、ビットレートを変更してダビング処理を行う場合でも、録画装置１の消費電力をできるだけ低減することが可能となる。
【００４９】
上述したダビング処理（変形例も含む）における電力消費量の削減に係る制御は、予約ダビングの場合に基づいて説明したが、通常のダビング処理に対して適用することも勿論可能である。
【００５０】
また、別の変形例として、さらに細かく作動対象部分の選択を行うため、表示系の処理部分（表示制御処理部１１、点灯制御処理部１４）に対しても図２（ｂ）及び図４（ｂ）に示す内容選択画面３１、３３のようなメニューを設けて、表示制御処理部１１のみを作動、点灯制御処理部１４のみを作動、両方とも作動停止と云うように３種類の処理停止状態を選択可能にしてもよい。
【００５１】
さらに、録画装置１の接続部８が、外部の表示装置が映像及び音声が出力できる状態であるか否かの情報（例えば、電源オンであるか、電源オフであるか等）を外部の表示装置から受け取れる規格の端子（例えば、ＨＤＭＩ(High Definition Multimedia Interface)端子）である場合、自動で省エネルギーモード設定を行うようにしてもよい。即ち、外部の表示装置が映像及び音声を出力できない状態である情報を接続部８で受け取ったときは、図２（ａ）及び図４（ａ）の省エネルギーモード設定画面３２でユーザが省エネルギーモード設定をマニュアル設定するのではなく、システムコントロール部１０が省エネルギーモード設定を自動でオンすることも可能である。
【００５２】
また、一方、作動停止の範囲に係る選択の簡略化を図るため、省エネルギーモードの設定がオンになると、音声及び映像の両方を常に出力しないようにしてもよい。この場合、予約録画及びダビング処理（ビットレート変更なしのダビング処理）では、音声処理部（音声に係る処理部２、４ａ、５ａ、６）及び映像処理部（映像に係る処理部３、４ｂ、５ｂ、７）の作動停止を行い、ビットレートを変更するダビング処理では、音声及び映像の入力処理部２、３並びに音声及び映像の出力処理部６、７の作動停止を行うことになる。さらに、録画装置１が単一の記録媒体を扱う構造であれば、本発明の予約録画における電力消費量の削減に係る処理のみを適用することが可能となる。
【図面の簡単な説明】
【００５３】
【図１】本発明の実施形態に係る録画装置の主要な内部構成を示すブロック図である。
【図２】（ａ）は予約録画に係る省エネルギーモード設定画面を示す概略図、（ｂ）は内容選択画面を示す概略図である。
【図３】予約録画における省エネルギーモードに係る処理手順を示したフローチャートである。
【図４】（ａ）は予約ダビングに係る省エネルギーモード設定画面を示す概略図、（ｂ）は内容選択画面を示す概略図である。
【図５】ダビング種類選択画面を示す概略図である。
【符号の説明】
【００５４】
１  録画装置
２  音声入力処理部
３  映像入力処理部
４  符号化処理部
５  復号化処理部
６  音声出力処理部
７  映像出力処理部
９  ＯＳＤ生成部
１０  システムコントロール部
１１  表示制御処理部
１２  点灯制御処理部
【図１】
0005140247.tif 000002
【図２】
0005140247.tif 000003
【図３】
0005140247.tif 000004
【図４】
0005140247.tif 000005
【図５】
0005140247.tif 000006